(57)【要約】  本発明は、スクリーンとして作用し液体流（５）の流れ方向（４）を横断するように配置された部分（１０）を有するスクリーンベルト装置（１）に関する。エンドレススクリーンベルト（６）は、その移動方向を横断するように柔軟に折畳み、圧縮又は屈曲可能なエンドレススクリーンベルト（６）として構成される。
2013529266.tif 000002
【特許請求の範囲】
【請求項１】
水路を流れる液体流（５）から固体成分、固体又は固形物を物理的に分離、抽出するための走行式スクリーン装置（１）、特に処理、冷却又は排出流用、又は下水処理プラントや水力発電プラント用、又は発電プラントの冷却水取り入れ構造（３）の水搬送路（２）用のスクリーン又はフィルタレーキ（filter rake）であって、
前記液体流（５）中に浸されて、移動方向（７）に回転するとともに、前記液体流（５）内に配置されたエンドレススクリーンベルト（６）のアクティブスクリーン部分（１０）において前記水路中にスクリーン領域を形成し、前記エンドレススクリーンベルト（６）の前記アクティブスクリーン部分（１０）が前記水路における液体流（５）の流れ方向（４）に対して少なくとも近似的に、又は実質的に横断方向に配置されているエンドレススクリーンベルト（６）と、
前記エンドレススクリーンベルト（６）をその移動方向（７）に駆動するための駆動装置とを備え、
前記エンドレススクリーンベルト（６）は、その移動方向（７）を横断するように柔軟に折畳み、圧縮又は屈曲可能なエンドレススクリーンベルト（６）として形成され、
前記液体流（５）に配置された前記アクティブスクリーン部分（１０）において展開され、
かつ、前記アクティブスクリーン部分（１０）に対して、前記液体流（５）の上流側に配置された圧縮部分（１１）においてその移動方向（７）を横断するように折畳み、圧縮又は屈曲状態にされることを特徴とする走行式スクリーン装置（１）。
【請求項２】
前記アクティブスクリーン部分（１０）における前記流れ方向（４）は、前記エンドレススクリーンベルト（６）の内側（１２）から当該エンドレススクリーンベルト（６）を通って前記エンドレススクリーンベルト（６）の外側（１４）に向かう方向であることを特徴とする請求項１に記載の走行式スクリーン装置（１）。
【請求項３】
前記アクティブスクリーン部分（１０）の前記移動方向（７）は上に向かう方向であり、前記圧縮部分（１１）の前記移動方向は下に向かう方向であることを特徴とする請求項１又は２に記載の走行式スクリーン装置（１）。
【請求項４】
前記エンドレススクリーンベルト（６）の前記圧縮部分（１１）は、実質的にスクリーンとしてアクティブではないことを特徴とする請求項１乃至３のいずれか一項に記載の走行式スクリーン装置（１）。
【請求項５】
前記圧縮部分（１１）の上流側で前記液体流（５）中に配設されたデフレクタ（２５）をさらに備え、前記エンドレススクリーンベルト（６）の前記圧縮部分（１１）は、前記デフレクタ（２５）の直後に配設されていることを特徴とする請求項１乃至４のいずれか一項に記載の走行式スクリーン装置（１）。
【請求項６】
前記エンドレススクリーンベルト（６）の前記圧縮部分（１１）と前記アクティブスクリーン部分（１０）との間に流れ開口部（２６）をさらに備え、これらを通って、前記液体流（５）が前記走行式スクリーン装置（１）の内側（１２）へと流入可能であることを特徴とする請求項１乃至５のいずれか一項に記載の走行式スクリーン装置（１）。
【請求項７】
前記アクティブスクリーン部分（１０）は、その両エッジに延出する案内手段（２７）によってその下流側においてのみ保持されることにより、前記流れ方向（４）において湾曲、又は屈曲可能であることを特徴とする請求項１乃至６のいずれか一項に記載の走行式スクリーン装置（１）。
【請求項８】
前記エンドレススクリーンベルト（６）は、折畳み、屈曲、屈折運動を行うことによって、その移動方向（７）を横断するように折畳み、圧縮又は屈曲可能であることを特徴とする請求項１乃至７のいずれか一項に記載の走行式スクリーン装置（１）。
【請求項９】
前記圧縮部分（１１）におけるエンドレススクリーンベルト（６）の横方向延出に対する前記アクティブスクリーン部分（１０）における前記エンドレススクリーンベルト（６）の横方向延出の比率は３：１〜１．１：１、好ましくは２．５：１〜１．５：１であることを特徴とする請求項１乃至８のいずれか一項に記載の走行式スクリーン装置（１）。
【請求項１０】
それは、織物ベルト又はチェーンリンクベルトとしての、フレキシブルな孔あきプラスチックベルトとして構成されていることを特徴とする請求項１乃至９のいずれか一項に記載の走行式スクリーン装置（１）。
【請求項１１】
移動方向（７）において前記エンドレススクリーンベルト（６）を駆動するための前記駆動装置は、エンドレススクリーンベルト（６）のいずれかの側に配置された二つの駆動ホイールを備え、前記駆動ホイールは、前記圧縮部分（１１）におけるエンドレススクリーンベルト（６）の横断方向延出に対する前記アクティブスクリーン部分（１０）におけるエンドレススクリーンベルト（６）の横断方向延出の比率によって予め決められた、互いになす角度で配置されていることを特徴とする請求項１乃至１０のいずれか一項に記載の走行式スクリーン装置（１）。
【請求項１２】
前記エンドレススクリーンベルト（６）の底部下流側部分（９）の方向転換手段の頂部は、前記エンドレススクリーンベルト（６）の底部上流側部分（８）の方向転換手段の頂部よりも低く配置されていることを特徴とする請求項１乃至１１のいずれか一項に記載の走行式スクリーン装置（１）。
【請求項１３】
前記エンドレススクリーンベルト（６）の外側（１４）に配設されたスプレーノズル（２２）又は圧縮空気ノズルと、前記スプレーノズル（２２）又は前記圧縮空気ノズルの反対側で前記エンドレススクリーンベルト（６）の内側（１２）に配設され前記エンドレススクリーンベルト（６）から吹き飛ばされた堆積物を収集する堆積物収集トラフ（２３）とをさらに備えた請求項１乃至１２のいずれか一項に記載の走行式スクリーン装置（１）。
【請求項１４】
走行式スクリーン装置（１）、特に、処理、冷却又は排出流用、又は下水処理プラントや水力発電プラント用、又は発電プラントの冷却水取り入れ構造（３）の水搬送路（２）用のスクリーン又はフィルタレーキ（filter rake）によって水路を流れる液体流（５）から固体成分、固体又は固形物を物理的に分離、抽出する方法であって、
前記液体流（５）中に浸されて、移動方向（７）に回転するとともに、前記液体流（５）内に配置されたエンドレススクリーンベルト（６）のアクティブスクリーン部分（１０）において前記水路中にスクリーン領域を形成し、前記エンドレススクリーンベルト（６）の前記アクティブスクリーン部分（１０）が前記水路における液体流（５）の流れ方向（４）に対して少なくとも近似的に、又は実質的に横断方向に配置されているエンドレススクリーンベルト（６）と、
前記エンドレススクリーンベルト（６）をその移動方向（７）に駆動するための駆動装置とを備え、
前記エンドレススクリーンベルト（６）は、その移動方向（７）を横断するように柔軟に折畳み、圧縮又は屈曲可能なエンドレススクリーンベルト（６）として使用されており、
前記エンドレススクリーンベルト（６）は、前記液体流（５）に配置された前記アクティブスクリーン部分（１０）において伸展され、
かつ、前記アクティブスクリーン部分（１０）に対して、前記液体流（５）の上流側に配置された圧縮部分（１１）においてその移動方向（７）を横断して折畳み、圧縮又は屈曲状態にされることを特徴とする方法。
【発明の詳細な説明】
【技術分野】
【０００１】
本発明は、水路を流れる液体流から固体成分、固体又は固形物を物理的に分離、抽出するための走行式（traveling）スクリーン装置に関し、特に、処理、冷却又は排出流用、又は下水処理プラントや水力発電プラント用、又は発電プラントの冷却水取り入れ構造の水搬送路用のスクリーン又はフィルタレーキ（filter rake）に関する。それは、前記液体流中に浸されて、移動方向に回転するとともに、前記液体流中に配置されたエンドレススクリーンベルトのアクティブスクリーン部分において前記水路中にスクリーン領域を形成し、前記エンドレススクリーンベルトの前記アクティブスクリーン部分が前記水路における液体流の流れ方向に対して少なくとも近似的に又は実質的に横断方向に配置されるエンドレススクリーンベルトと、その移動方向に当該エンドレススクリーンベルトを駆動するための駆動装置、とを有する。更に、本発明は、走行式スクリーン装置によって、水路を流れる液体流から固体成分、固体又は固形物を物理的に分離、抽出するための方法にも関する。
【背景技術】
【０００２】
走行式スクリーン装置は、通常、エンドレススクリーンベルトの移動方向に連続し並置されるとともに、通常、互いに連結されて前記液体流に浸される回転エンドレススクリーンを形成する多数のスクリーンパネルと、前記エンドレススクリーンベルトのための駆動手段とを備え、好ましくは、液体流からの固形物の分離、抽出を連続的に行うことが可能に構成されている。前記スクリーンパネルは、液体流から固形物を分離するためのスクリーンインサートを有し、固形物は、その寸法がスクリーンのギャップ幅又はメッシュ寸法を上回らない限り、走行式スクリーン装置を通過することはできない。従って、固形物はスクリーンパネル上に堆積する。ファブリックスクリーン、孔あきスクリーンパネル、場合によっては必ずしも円形である必要はなく最適化されたプロファイルを有する個々のバーから成るスロットスクリーン、スクリーン格子、その他の濾過に適したスクリーン材料、などといった様々なスクリーンインサートを使用することが可能である。
【０００３】
エンドレススクリーンベルトの回転移動によってスクリーンパネル上に堆積した固形物は液体流から上方に搬送され、水位よりも上方の排出位置にて排出又は除去される。スクリーンパネルが液流に再び浸される前に、水噴流をスクリーンパネルへ噴射することによって排出位置にて完全なスクリーンパネルの清浄を行うことができる。
【０００４】
そのような走行式スクリーン装置としては、エンドレススクリーンベルトの上昇及び下降部分を通り流れ方向が異なる様々な実施例が知られている。選択されるオプションとしては、「外側から内へ」と「内側から外へ」の「貫通流」がある。この「貫通流」構成オプションを採用するには、スクリーンパネルを水路の流れ方向を横断するように配置し、下降側スクリーンパネル（底部に向かって移動する）を、上方側スクリーンパネル（上方に向かって移動する）の下流側に配置する。
【０００５】
従来の「貫通流」構成の走行式スクリーン装置は、関節のように互いに接続された複数の矩形スクリーンパネルによって形成されるエンドレススクリーンベルトを含む。個々のスクリーンパネルは、水平軸芯まわりで互いに揺動可能である。エンドレススクリーンベルトを液流に浸すと、水流が流れるエンドレススクリーンの上流部分と下流部分とが形成される。これらエンドレススクリーンベルトの上流部分と下流部分は、上方及び下方方向転換手段を介して互いに接続され、スクリーンパネルのためのスプレー手段が、通常、上方方向転換手段に設けられる。
【０００６】
前記貫通流式構成において、エンドレススクリーンベルトは、通常、固形物の寸法がスクリーンパネルのギャップ幅又はメッシュサイズよりも大きいものである限り、スクリーン装置を通過することができないように、液流の断面全体を覆っている。従って、固形物はスクリーンパネル上に堆積する。
【０００７】
従来の貫通流式走行スクリーン装置において、堆積物はスクリーンベルトの外側に堆積するので、堆積物はスクリーンベルトによって抽出された後で、スクリーンベルトの内側で作動する清浄装置が内側からスクリーンベルトに噴射して除去される。従って、スプレーノズルはスクリーンベルトの上昇側部分と下降側部分との間、即ち、「内側」に配置され、「外側」に向けて堆積物に噴射する。
【０００８】
貫通流式構成の従来技術の欠点は、液流の所望の清浄作用が、エンドレススクリーンベルトの上流側部分を通る液流によって実質的に既に達成されてしまっていることにある。しかしながら、液流はまだその後、エンドレススクリーンベルトの下流側部分を通過しなければならず、従って、エンドレススクリーンベルトを通って液体が流れる結果として常に圧力損失の倍増が生じる。貫通流式走行スクリーン装置においては、上流側、上昇側スクリーンパネルのみがスクリーン作用に寄与する。下流側、下降側スクリーンパネルは、それらは上昇側スクリーンパネルの下流側にあるのでスクリーン処理に寄与しない。しかし、液流はその後もまだスクリーンパネルの二つの連続する部分を通って流れなければならず、それによって液流の大きな圧力損失が生じる。
【０００９】
この圧力損失による結果、通常、液位の不都合な低下が生じ、このため、ポンプなどを使用することによって再び液位を上昇させなければならない場合がある。そのような圧力損失の欠点は、本発明の好適利用分野であるところの、その埋め合わせがポンプやその他の手段によって提供される下水プラントと、冷却水システムの両方に当てはまる。冷却水システムにおいては、全量の水のために、大型の主冷却水ポンプが設けられる。追加の圧力損失はポンプチャンバ内の水位低下につながり、これは更に、冷却水ポンプによって解決しなければならない。これによってエネルギ消費、引いては運転コストの大幅な増大が生じる。必要とされる構造的な長さも特にコスト的には欠点となりうる。
【００１０】
この問題を解決するために、本出願人のドイツ国出願ＤＥ１９６５４１３２A１は、断面を通過する流れがその開放位置において大きく邪魔されることのないように、エンドレススクリーンベルトの下流側において展開可能なスクリーンパネルを備える「貫通流式態様」のスクリーン装置を提供することを提案している。これによって液流を方向転換するための構造的手段をなくすることが可能となる。前記スクリーンパネルは、圧力損失が全体として好適に低い状態に留まるように一度のみ通過される。しかしながら、これによってエンドレススクリーンベルトの構造が複雑化し、エンドレススクリーンベルトの前方上流側部分の閉じられたスクリーンパネルを漏れのないようにするために多大な努力が必要とされる。
【００１１】
類似の「貫通流」式のスクリーン装置が特開２００２−２９４６６６において知られている。これはスクリーンパネルフレームを備えたスクリーンパネルを含み、これらフレーム上にスクリーンネットが張設されるとともに、これらフレームは、それぞれ、その両側にて、互いに前後に配設された二つのチェーンによって案内される。これら二つのチェーン間の距離は、エンドレススクリーンベルトの周路に沿って変化する。スクリーンベルトの上流前方側部分では、両チェーン間の間隔は小さく、並置されたスクリーンパネル同士は、流れの中で共通の閉じられたスクリーン領域を形成している。スクリーンベルトの下流側後方部分では、両チェーン間の間隔は大きく、それによって、スクリーンパネルが開放位置へと揺動し、その結果、隣接するスクリーンパネル間に妨げられない貫通流断面が形成され、これを通して液体は揺動したスクリーンパネルを通過して流れることが可能である。この場合、前と同様、液流の方向転換のための構造的手段をなくすることができ、かつ、それでも全体の圧力損失が低い状態に留まるように液体は実質的にスクリーンパネルを一回だけ通過する。しかしながら、このエンドレススクリーンベルトの構造は複雑であり、エンドレススクリーンベルトの前方上流側部分で閉じられたスクリーンパネルが漏れのないようにするために多大な努力が必要とされる。
【００１２】
更に、従来技術の貫通流式構造には、汚水の側から清浄水の側へと回転するスクリーンパネルによってそれらにまだ付着したままの堆積物の一部が汚水の側から清浄水の側に運ばれ、それによって清浄水の側が汚染されるという欠点がある。これは、前記「内側から外」及び「外側から内」の実施例においては防止される。
【００１３】
「内側から外」及び「外側から内」式の従来のスクリーン装置では、清浄作用を達成するには不可避である圧力損失を、構造的手段と、約半分の流れをそれぞれ約９０度左右に方向転換することとによって液流を分割することで一つのスクリーンパネルのみを通過する液体から生じる圧力損失に制限することができる。「内側から外」及び「外側から内」式の構成の変形例では、スクリーンパネルを水路の流れ方向に沿って配置する。この場合、エンドレススクリーンベルトは、スクリーンパネルが液流の元の流れ方向に沿って整列するように液流に浸される。その後、分割された液流の半分の一方は、エンドレススクリーンベルトの左側部分を通って左側に向けられ、液流の半分の他方は、エンドレススクリーンベルトの右側部分を通って右側に向けられることになる。エンドレススクリーンベルトを通って流れた後、これら二つの液流は方向変換され再び合流される。
【００１４】
この方法では、液流をエンドレススクリーンベルトの内側からこれを通って外側へ、又は、その逆に向けることができる。これが、これらの実施例が「内側から外」又は「外側から内」とも称される理由である。「外側から内」式の構成では、汚水側は、上下に移動する両部分の外側であり、清浄水側はこれら二つの部分の内側である。「内側から外」の構成では、その逆になる。液流がエンドレススクリーンベルトを一回しか通過せず、圧力損失が低いことは利点ではあるが、他方、採られる構造的手段は複雑で高価である。更に、流れの方向転換によってかなりの流れの乱れが生じ、これによって、例えば、概して乱流のない領域に設置されるべきである下流側ポンプまでの距離を大きくする必要がある等から、装置のスループットの低下、又は装置の大型化につながる。更に、液流の二回の方向転換によって全体の流れ方向における構造体の長さが極めて大きなものとなるが、これは不可能であるか、もしくは、大幅なコスト増大を受け入れらない限り可能にならない。
【先行技術文献】
【特許文献】
【００１５】
【特許文献１】ドイツ公開１９６５４１３２A１号公報
【特許文献２】特開２００２−２９４６６６号公報
【発明の概要】
【発明が解決しようとする課題】
【００１６】
従来技術の前記「貫通流」式構成には、スクリーン配列間の領域における堆積過程により通路の底部に堆積物が堆積するという欠点があり、これは時間の経過に伴うスクリーンパネルの移動に対して悪影響を与えうる。
【００１７】
これらから出発点として、本発明は、「貫通流」式構成、即ち、走行式スクリーン装置の構成を採用した。ここで、エンドレススクリーンベルトのアクティブスクリーン部分は、水路の液流の流れ方向に対して少なくとも近似的に、或いは実質的に、横断するように配置される。この従来技術に基づき、本発明の課題は、液流の圧力損失が可能な限り低いことと、流れ方向から見たときの装置の構造的長さが可能な限り小さいこと、とを併せ持つ最初に記載したタイプの走行式スクリーン装置を提供することであり、汚水側から清浄水側への堆積物の「搬送」を回避し、通路の底部での恒久的な堆積を低減し、かつエンドレススクリーンベルトからの簡便な堆積物の分離を可能にする単純な構造のエンドレススクリーンベルト、を提供することにある。
【００１８】
本発明の前記課題は、添付の独立請求項に記載の特徴構成を備える走行式スクリーン装置によって達成される。本発明の好適実施例及びその他の発展構成は、従属請求項と、添付の図面を参照して下記の説明から導くことができる
【課題を解決するための手段】
【００１９】
本発明の、水路を流れる液体流から固体成分、固体又は固形物を物理的に分離、抽出するための走行式（traveling）スクリーン装置、特に、処理、冷却又は排出流用、又は下水処理プラントや水力発電プラント用、又は発電プラントの冷却水取り入れ構造の水搬送路用のスクリーン又はフィルタレーキ（filter rake）は、前記液体流中に浸されて、移動方向に回転するとともに、前記液体流内に配置されたエンドレススクリーンベルトのアクティブスクリーン部分において前記水路中にスクリーン領域を形成し、前記エンドレススクリーンベルトの前記アクティブスクリーン部分が前記水路における液体流の流れ方向に対して少なくとも近似的に、又は実質的に横断方向に配置されるエンドレススクリーンベルトと、その移動方向に前記エンドレススクリーンベルトを駆動するための駆動装置、とを有し、ここで、前記エンドレススクリーンベルトはその移動方向を横断するように柔軟に折畳み、圧縮又は屈曲可能なエンドレススクリーンベルトとして形成され、前記液体流に配置された前記アクティブスクリーン部において展開され、かつ、前記アクティブスクリーン部分に対して前記液体流の上流側に配置された圧縮部分においてその移動方向を横断するように折畳み、圧縮又は屈曲状態にされるという特徴構成を有する。
【００２０】
本発明の、走行式スクリーン装置、特に、処理、冷却又は排出流用、又は下水処理プラントや水力発電プラント用、又は発電プラントの冷却水取り入れ構造の水搬送路用のスクリーン又はフィルタレーキ（filter rake）によって水路を流れる液体流から固体成分、固体又は固形物を物理的に分離、抽出する方法であって、前記スクリーン装置は、前記液体流中に浸されて、移動方向に回転するとともに、前記液体流内に配置されたエンドレススクリーンベルトのアクティブスクリーン部分において前記水路中にスクリーン領域を形成し、前記エンドレススクリーンベルトの前記アクティブスクリーン部分が前記水路における液体流の流れ方向に対して少なくとも近似的に、又は実質的に横断方向に配置されるエンドレススクリーンベルトと、その移動方向に前記エンドレススクリーンベルトを駆動するための駆動装置、とを有し、ここで、エンドレススクリーンベルトはその移動方向を横断するように柔軟に折畳み、圧縮又は屈曲可能なエンドレススクリーンベルトであるとして使用され、前記液体流に配置された前記アクティブスクリーン部において展開され、かつ、前記アクティブスクリーン部分に対して前記液体流の上流側に配置された圧縮部分においてその移動方向を横断するように折畳み、圧縮又は屈曲状態にされるという特徴構成を有する。
【００２１】
前記エンドレススクリーンベルトは、その回転に伴い、液体流の流れ方向を横断するように折畳み、圧縮又は屈曲可能であって、ここで、その左右に延出するエッジ部は互いに接近することが可能であり、それにより、その移動方向を横断し流れ方向を横断する方向におけるエンドレススクリーンベルトの横方向延出が少なくなる。本発明において、この特徴構成は、前記「外側から内」又は「内側から外」式の構成、又は前記「貫通流式」構成の走行スクリーン装置の利点を、その欠点を受け入れることなく、有利に享受することが可能であることが判った。
【図面の簡単な説明】
【００２２】
以下、図面に図示される実施例を参照して本発明についてより詳細に説明する。本発明の好適実施例を実現するために、ここに図示される特徴構成は、単独で、又は組み合わせて、使用することが可能である。
【図１】本発明による走行式スクリーン装置の側面図である。
【図２】図１のＢ−Ｂ線に沿った水平方向断面図である。
【図３】図２のＸ部分の詳細図である。
【図４】図１のＡ−Ａ線に沿った断面図である。
【図５】図１のＣ−Ｃ線に沿った水平方向断面図である。
【発明を実施するための形態】
【００２３】
図１は、水路を流れる液体流から固体成分、固体又は固形物を物理的に分離、抽出するための走行式スクリーン装置１を図示している。そのような走行式スクリーン装置１は、例えば、処理、冷却用又は排出流用、又は下水処理プラントや水力発電プラント用、又は発電所、石油化学又は海水淡水化プラント、鉄工所その他の工業施設の冷却水取り入れ構造３の水路２用のスクリーン又はフィルタレーキとして構成される。水取り入れにおける最終清浄段階として、スクリーニングが特に重要である。その理由は、ポンプや濃縮装置などの下流側のシステムを、走行式スクリーン装置１によって分離される、水中に含まれる固体成分によって引き起こされる障害から確実に保護する必要があるからである。
【００２４】
上記走行式スクリーン装置１は、極めてコンパクトな構造体積をもつものでありながら１００，０００ｍ３／時もの高い水スループットを可能にする。典型的なパラメータは、装置長１．０−４．５ｍ（流れ方向４において）、通路幅２．５−７．０ｍ（流れ方向４に対する横断方向において）、チャンバ深さ２０ｍ以下、床線上構造高さ１．６−２．２ｍ、スクリーンのメッシュサイズ０．２−１０ｍｍである。
【００２５】
図１の側面図において、本発明による走行式スクリーン装置１は、従来技術の「貫通流」式構成の走行式スクリーン装置と類似している。しかしながら、液体流５に浸される回転エンドレススクリーンベルト６を形成する複数のスクリーンパネルの代わりに、エンドレススクリーンベルト６の移動方向７において互いに連続する複数の並置スクリーンパネルが、通路２において、又は、エンドレススクリーンベルト６の下降部分８とエンドレススクリーンベルト６の上昇部分９との両方の液体流５において、共通のスクリーン領域を形成する。それは、その移動方向を横断するように柔軟に折畳み、圧縮又は屈曲可能なエンドレススクリーンベルト６として形成され、液体流５に配置されたアクティブスクリーン部分１０において展開され、かつ、アクティブスクリーン部分１０に対して、圧縮部分においてその移動方向７を横断するように折畳み、圧縮又は屈曲状態にされる。
【００２６】
エンドレススクリーンベルト６のアクティブスクリーン部分１０は、液体流５に浸され、かつ、それを通って液体流５が流れて、それが走行式スクリーン装置１のフィルタリング作用に寄与するエンドレススクリーンベルト６の一部分として理解される。従って、アクティブスクリーン部分１０は、エンドレススクリーンベルト６の下流側部分の一部である。これに対して、エンドレススクリーンベルト６の圧縮部分１１は、好ましくは、実質的にスクリーンとして有効な部分ではない。即ち、液体流５はそれを通って流れないか、又は非常に僅かな割合でしか流れず、走行式スクリーン装置１のフィルタリング作用には全く寄与しないか、又は非常にわずかしか寄与しない。従って、スクリーン作用は、実質的に、又は完全に、アクティブスクリーン部分１０によって達成される。このことについて以下図２を参照して説明する。
【００２７】
アクティブスクリーン部分１０の移動方向７は、基本的に、上向き方向又は下向き方向とすることができる。図１に図示された実施例が好適であり、ここでは、アクティブスクリーン部分１０の移動方向７は上向き方向、即ち、液体流５から出る方向であり、圧縮部分１１の方向は下向き方向、即ち、液体流５に入る方向である。このようにすることで、エンドレススクリーンベルト６がその移動方向に横断する方向で折畳み、圧縮又は屈曲されることなく、又は堆積物が落下することなく、或いはエンドレススクリーンベルト６が損傷することなく、アクティブスクリーン部分１０において液体流５からエンドレススクリーンベルト６によって濾過除去された堆積物は、上方に搬送される。この目的のために、好適には、エンドレススクリーンベルト６は、その下流側上昇側部分９において、エンドレススクリーンベルト６がこの領域において移動方向７に対して横切るように折畳み、圧縮又は屈曲されることなく移動し、この部分９において実質的に均一な幅で案内されるように構成されている。
【００２８】
エンドレススクリーンベルト６のアクティブスクリーン部分１０を通る流れ方向４は、エンドレススクリーンベルト６の内側１１からエンドレススクリーンベルト６の外側１２への方向である。これに対応して、エンドレススクリーンベルト６の内側１２は、汚水側１３であり、エンドレススクリーンベルト６の外側１４はエンドレススクリーンベルト６と走行式スクリーン装置１の清浄水側１５である。
【００２９】
清浄される水は汚水側１３においてアクティブスクリーン部分１０に向かって流れ、堆積物がアクティブスクリーン部分１０においてエンドレススクリーンベルト６の内側に堆積し、スクリーニング又は濾過された水が清浄水側１５から出る。有効スクリーニング部分１０において収集された堆積物は、エンドレススクリーンベルト６の移動方向７における回転運動によって上昇側部分９によって液体流５から取り出され、清浄領域１６へと運ばれ、そこでエンドレススクリーンベルト６から分離される。
【００３０】
エンドレススクリーンベルト６の回転運動を容易にするために、エンドレススクリーンベルト６は引っ張り手段又は搬送手段に接続されている。これらの手段は、通常二つのメンテナンスフリーのピントルチェーン１７として構成され、そのそれぞれがエンドレススクリーンベルト６の外縁に設けられる。これらのチェーン１７は、構造体３に固定された案内手段で案内される。構造体３には、水がアクティブスクリーン部分１０を通って流れそれを通過することがないように、必要な漏れ防止手段が設けられる。
【００３１】
エンドレススクリーンベルト６をその移動方向７に駆動するために、少なくとも１つの駆動モータと少なくとも１つのスプロケット１９とを備える駆動装置１８が使用される。駆動モータは、チェーン１７の片方又は両方を駆動することができる。エンドレススクリーンベルト６の速度を変化させることによって、水のスループットとスクリーンベルトの清浄とを最適状態に調節することができる。カソード腐食保護の一部としての特殊なアノードを、特に海水にさらされたときのチェーン１７とチェーン案内手段の腐食保護のために組み込むことができる。エンドレススクリーンベルト６は、その上部位置において、スプロケット１９によって提供される方向転換手段２０によって反転される。その底部領域において、エンドレススクリーンベルト６は、例えば、方向転換アークによって提供される底部方向転換手段２１によって反転される。
【００３２】
上部方向転換手段２０と底部方向転換手段２１との方向転換半径は、互いに異なるものとすることができる。図１に示されているように、好ましくは、底部方向転換手段２１の半径は、上部方向転換手段２０の半径よりも大きい。これら上方及び底部方向転換手段は、円弧として構成することができ、具体的には、上方方向転換手段２０は、エンドレススクリーンベルト６を駆動するために単数又は複数のスプロケット１９によって形成される。円弧と異なる方向転換弧も利用可能である。
【００３３】
通路の底部に堆積物が堆積することを回避するために、又は可能な限り大きな、即ち、通路の底部に向けて可能なかぎり延出するアクティブスクリーン部分１０を実現するために、エンドレススクリーンベルト６の底部下流側部分９の方向転換手段の頂部が、エンドレススクリーンベルト６の底部上流側部分８の方向転換手段の頂部よりも低く配置されるように構成することが有利である。従って、この実施例において、エンドレススクリーンベルト６の底部下流側及び底部上流側部分の方向転換手段の頂部は、通路底部の上方で異なった高さに位置することになる。
【００３４】
本発明の走行式スクリーン装置１によれば、堆積物がエンドレススクリーンベルト６の外側１４に堆積する従来技術の走行式スクリーン装置とは異なり、液体流５から分離された堆積物は、エンドレススクリーンベルト６の内側１２に堆積し、その後、外側から作用する清浄装置によって外側から内側へと吹き飛ばされる。従って、本発明による走行式スクリーン装置１は、好ましくは、この走行式スクリーン装置１の清浄領域１６において液体流５から持ち上げられたエンドレススクリーンベルト６の部分を清浄するための清浄装置と、エンドレススクリーンベルト６の外側１４に配設されたスプレーノズル２２又は圧縮空気ノズルと、スプレーノズル２２又は圧縮空気ノズルの反対側でエンドレススクリーンベルト６の内側１２に配設されエンドレススクリーンベルト６から吹き飛ばされた堆積物を収集する堆積物収集トラフ２３とを有する。この清浄装置は、好ましくは、エンドレススクリーンベルト６の上方方向転換手段２０の領域に配設される。
【００３５】
エンドレススクリーンベルト６の上昇する下流側部分９の内側１２に付着した堆積物は、サービスレベルの清浄領域１６へと搬送される。比較的粗い片は、単に重力によって、廃水収集トラフとも称される堆積物収集トラフ２３へと落下する。エンドレススクリーンベルト６は、スプレーノズル２２による噴出によって完全に清浄される。
【００３６】
もしもエンドレススクリーンベルト６の清浄中に頑固な汚れがエンドレススクリーンベルト６に付着したまま残る場合には、その汚れはエンドレススクリーンベルト６の内側１２に残ることになるが、そこで、それはエンドレススクリーンベルト６の回転移動により清浄領域１６にて噴出水を繰り返し通過することで最終的に確実に除去される。比較的粗い沈殿物、浮遊物も、走行式スクリーン装置１の内側領域１２において必ず捕捉されそこから除去される。これにより、通路２の底部の汚れ、その他の流れパターンでよく見られる堆積物の清浄水側への持ち込み（carryover）作用が無くなる。
【００３７】
スプレーノズル２２を備える水噴出装置又は走行式スクリーン装置１の上部ヘッド全体は、カバー２４によって覆われている。エンドレススクリーンベルト６の水噴出プロセスは、外側から制御することができる。手動式又は自動式のスプレーノズル清浄装置を提供することができる。
【００３８】
図２は、図１の走行式スクリーン装置１のＢ−Ｂ線に沿った水平方向断面図を示している。内側から外側への流れ方向４に流れる流れが通るエンドレススクリーンベルト６、又はそれを通って流れが流れるアクティブスクリーン部分１０は、水の流れ方向４（通路２の流れ方向）に対して実質的に横断するように配置され、このとき走行式スクリーン装置１の開放側又は入口側は流入側に面した状態である。下流側のアクティブスクリーン部分１０において、流れ方向は、エンドレススクリーンベルト６の内側１２からこのエンドレススクリーンベルト６を通ってエンドレススクリーンベルト６の外側１４へ向かう方向である。
【００３９】
このやり方において、エンドレススクリーンベルト６の上流側圧縮部分１１は、好ましくは、スクリーンとして有効な部分ではない、即ち、液体流５はそれを通って流れないか、又は走行式スクリーン装置１のフィルタリング作用には全く寄与しない。これは、例えば、エンドレススクリーンベルト６に、圧縮領域１１においてその移動方向７に対して横断するように折り畳み、圧縮、又は屈曲する特殊な構成を設けることによって達成することができる。図２に図示されている一好適実施例に拠れば、走行式スクリーン装置１は、圧縮領域１１の上流側で液体流５中に配設されたデフレクタ２５を有し、エンドレススクリーンベルト６の圧縮領域１１はこのデフレクタ２５の直後に配設されている。
【００４０】
デフレクタ２５は、流入する液体流５を分離するように作用し、液体流５は左側又は右側に向けてほぼ均等に方向転換されて圧縮領域１１を迂回する。走行式スクリーン装置１は、エンドレススクリーンベルト６の圧縮領域１１とアクティブスクリーン部分１０との間に複数の流れ開口部２６を有し、これらを介して、分割された液体流５が走行式スクリーン装置１の内側１２へと流入することができる。流れ開口部２６は、デフレクタ２５とアクティブスクリーン部分１０との間で走行式スクリーン装置１のいずれかの側に配置され、液体流は、それらを通って斜めに流れる。流れ開口部２６を通って流れた後、液体流５の二つの流れは、走行式スクリーン装置１の内側１２で再合流し、液体流５の元の方向に沿ってアクティブスクリーン部分１０へと流れる。
【００４１】
液体流５はエンドレススクリーンベルト６を一回だけ通って流れる結果、低い圧力損失という利点が得られる。この低い圧力損失に対する一つの寄与要因は、流れ開口部２６の領域では、流れが約９０度ではなく、わずかしか方向転換されないということである。更に、流れの方向転換が、アクティブスクリーン部分１０の領域ではなく、それから上流側にかなりの距離を置いたところで行われるということも有利である。これによって、流れ抵抗を増大させるアクティブスクリーン部分１０の表面での乱流の形成が防止される。デフレクタ２５は、それが大きな力に耐える必要がないように流線型に構成することが可能である。そのような大きな力は圧縮部分１１にも作用することはないので、構造コストの節約によって経済的な利点が達成される。
【００４２】
しかしながら、走行式スクリーン装置１は低い圧力損失に関する利点を有するだけでなく、汚水側１３から清浄水側１５への堆積物の持込の問題を回避するものでもある。
【００４３】
走行式スクリーン装置１の更に別の利点は、アクティブスクリーン部分１０が、その両エッジに延出する案内手段２７によってその下流側においてのみ保持されることにより、それが流れ方向４において湾曲、又は屈曲可能であることである。案内手段２７は、好ましくは、垂直方向に延出する。エンドレススクリーンベルト６のアクティブスクリーン部分１０又は下流側上昇部分９がこのエンドレススクリーンベルト６を流れ方向４において屈曲させることが可能なように案内される場合、従来技術のいくつかの実施例と違って、液体流５においてアクティブスクリーン部分１０によって引き起こされる力を受けるためにアクティブスクリーン部分１０の下流側に、Ｕ状プロファイルやスチールガーターなどといった、アクティブスクリーン部分１０を支持するための支持構造体を設けることはもはや必要でなくなる。
【００４４】
従って、走行式スクリーン装置１は、アクティブスクリーン部分１０が屈曲可能とされるのであれば、コスト的に有利な構造を備えることができる。
【００４５】
図２から明白にわかるように、エンドレススクリーンベルト６が上昇部分９に対してその移動方向７を横断するように下降部分８において、折畳み、圧縮又は屈曲されることにより、液体流５はそれを通過して流れることができる。この目的のために、エンドレススクリーンベルト６は、例えば、折畳み、圧縮又は屈曲移動を行うことができる。有利になるには、アクティブスクリーン部分１０におけるエンドレススクリーンベルト６の横方向延出と圧縮部分１１におけるエンドレススクリーンベルト６の横方向延出との比率を３：１〜１．１：１にすることができ、好ましくは２．５：１〜１．５：１とするのがよい。これらの範囲では、圧縮部分１１の近傍において、エンドレススクリーンベルト６がその折畳み、圧縮又は屈曲作用によって過度な応力を受けることなく液体流５が流れ続けるだけの十分な空間が確保される。
【００４６】
エンドレススクリーンベルト６は、任意の適当な材料から形成することができる。第１の好適実施例は、例えば、場合によってはケブラーのサンドイッチ補強を備えることが可能な、ＰＵやＰＥといったフレキシブル孔あきプラスチックベルトとすることができる。エンドレススクリーンベルト６のもう一つの好適実施例は、金属やプラスチック、又はケブラー材から成る織物ベルトである。もう一つの可能な実施例は、リンクチェーンベルトである。連結された多数のスクリーンパネルを有する従来技術の走行式スクリーン装置の旧来のエンドレススクリーンベルトと違って、本発明の走行式スクリーン装置のエンドレススクリーンベルト６は、好ましくは、それらの間にスクリーンパネル又はスクリーンパネルインサートを配置する必要が無くスクリーニング又はフィルタリング作用が直接的に行われるバンド材から成る。
【００４７】
図３は図２の詳細図であって、構造体３におけるアクティブスクリーン部分１０の案内手段２７を図示している。それは、ピントル３０を備えるピントルチェーン１７のローラ２９を案内するためのＵ状部分２８と、ピントルチェーン１７上に取り付けられたシーリングシート３１とを有する。シーリングシート３１は、Ｕ状部分２８に取り付けられたシーリングレール３２によって案内される。ピントルチェーン１７とシーリングシート３１とシーリングレール３２とによって、チェーン案内手段２７のＵ状部分２８に対するシーリング手段が形成される。これは、液体が汚水側１３から清浄水側１５へとバイパスされることを防止するためのものである。エンドレススクリーンベルト６はその外側に肥厚化部分３３を備え、これは、可動状態においてハウジング３４内で案内され、ピントルチェーン１７に接続されている。
【００４８】
図４は、図１のＡ−Ａ線に沿った断面図である。この図はエンドレススクリーンベルト６の清浄水側１５を表している。エンドレススクリーンベルト６は、堆積物の分離除去中に通って水が流れる孔あき領域３５を有する。エンドレススクリーンベルト６のこれらの孔あき領域３５の間には、非孔あきウェブ３６が設けられ、これらは引っ張り力をチェーン１７に伝達する作用を提供する。液体がアクティブスクリーン部分１０を通って流れる時に、エンドレススクリーンベルト６の湾曲又は屈曲によりこの引っ張り力が生じる。
【００４９】
図４において、流れ開口部２６はエンドレススクリーンベルト６のアクティブスクリーン部分１０の背後にあり、図中エンドレススクリーンベルト６によって隠されており、これら流れ開口部２６を通って、液体５が走行式スクリーン装置１の内側１２へと流入する。上方方向転換手段２０の領域において、左右の二つの対応する駆動装置３７に取り付けられたスプロケット１９が見える。
【００５０】
図５は、これらの駆動装置３７を詳細に図示する、図１のＣ−Ｃ線に沿った水平方向断面図である。エンドレススクリーンベルト６を駆動するための駆動装置１８が、エンドレススクリーンベルト６のいずれかの側に配置された、その移動方向７に二つの駆動ホイールを有することが判り、ここで、これら駆動ホイールは、圧縮部分１１におけるエンドレススクリーンベルト６の横断方向延出に対するアクティブスクリーン部分１０におけるエンドレススクリーンベルト６の横断方向延出の比率によって予め決まる、互いになす角度で配置されている。これら二つの駆動ホイールは本実施例では、移動方向７においてエンドレススクリーンベルト６を搬送するためにこのエンドレススクリーンベルト６の左右のエッジのそれぞれに設けられた、二つのキャリアチェーンを駆動するための、スプロケット１９として構成されている。
【００５１】
二つの駆動装置３７、又は二つのキャリアチェーンの同期を確保するために、カルダン自由継ぎ手による結合や、駆動装置３７の電子的同期機能を有する周波数制御などの適当な手段を講じることができる。
【符号の説明】
【００５２】
１    走行式スクリーン装置
２    通路
３    構造体
４    流れ方向
５    液体流
６    エンドレススクリーンベルト
７    ６の移動方向
８    ６の下降部分
９    ６の上昇部分
１０  アクティブスクリーン部分
１１  圧縮部分
１２  内側
１３  汚水側
１４  外側
１５  清浄水側
１６  清浄領域
１７  チェーン
１８  駆動装置
１９  スプロケット
２０  上方方向転換手段
２１  下方方向転換手段
２２  スプレーノズル
２３  堆積物収集トラフ
２４  カバー
２５  デフレクタ
２６  流れ開口部
２７  案内手段
２８  Ｕ状部分
２９  ローラ
３０  ピントル
３１  シーリングシート
３２  シーリングレール
３３  肥厚化部分
３４  ハウジング
３５  孔あき領域
３６  ウェブ
３７  駆動装置
【図１】
2013529266.tif 000003
【図２】
2013529266.tif 000004
【図３】
2013529266.tif 000005
【図４】
2013529266.tif 000006
【図５】
2013529266.tif 000007
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
水路を流れる液体流（５）から固体成分、固体又は固形物を物理的に分離、抽出するための走行式スクリーン装置（１）、特に処理、冷却又は排出流用、又は下水処理プラントや水力発電プラント用、又は発電プラントの冷却水取り入れ構造（３）の水搬送路（２）用のスクリーン又はフィルタレーキ（filter rake）であって、
前記液体流（５）中に浸されて、移動方向（７）に回転するとともに、前記液体流（５）内に配置されたエンドレススクリーンベルト（６）のアクティブスクリーン部分（１０）において前記水路中にスクリーン領域を形成し、前記エンドレススクリーンベルト（６）の前記アクティブスクリーン部分（１０）が前記水路における液体流（５）の流れ方向（４）に対して少なくとも近似的に、又は実質的に横断方向に配置されているエンドレススクリーンベルト（６）と、
前記エンドレススクリーンベルト（６）をその移動方向（７）に駆動するための駆動装置とを備え、
前記エンドレススクリーンベルト（６）は、その移動方向（７）を横断するように柔軟に折畳み、圧縮又は屈曲可能なエンドレススクリーンベルト（６）として形成され、
前記液体流（５）に配置された前記アクティブスクリーン部分（１０）において展開され、
かつ、前記アクティブスクリーン部分（１０）に対して、前記液体流（５）の上流側に配置された圧縮部分（１１）においてその移動方向（７）を横断するように折畳み、圧縮又は屈曲状態にされることを特徴とする走行式スクリーン装置（１）。
【請求項２】
前記アクティブスクリーン部分（１０）における前記流れ方向（４）は、前記エンドレススクリーンベルト（６）の内側（１２）から当該エンドレススクリーンベルト（６）を通って前記エンドレススクリーンベルト（６）の外側（１４）に向かう方向であることを特徴とする請求項１に記載の走行式スクリーン装置（１）。
【請求項３】
前記アクティブスクリーン部分（１０）の前記移動方向（７）は上に向かう方向であり、前記圧縮部分（１１）の前記移動方向は下に向かう方向であることを特徴とする請求項１又は２に記載の走行式スクリーン装置（１）。
【請求項４】
前記エンドレススクリーンベルト（６）の前記圧縮部分（１１）は、実質的にスクリーンとしてアクティブではないことを特徴とする請求項１乃至３のいずれか一項に記載の走行式スクリーン装置（１）。
【請求項５】
前記圧縮部分（１１）の上流側で前記液体流（５）中に配設されたデフレクタ（２５）をさらに備え、前記エンドレススクリーンベルト（６）の前記圧縮部分（１１）は、前記デフレクタ（２５）の直後に配設されていることを特徴とする請求項１乃至４のいずれか一項に記載の走行式スクリーン装置（１）。
【請求項６】
前記エンドレススクリーンベルト（６）の前記圧縮部分（１１）と前記アクティブスクリーン部分（１０）との間に流れ開口部（２６）をさらに備え、これらを通って、前記液体流（５）が前記走行式スクリーン装置（１）の内側（１２）へと流入可能であることを特徴とする請求項１乃至５のいずれか一項に記載の走行式スクリーン装置（１）。
【請求項７】
前記アクティブスクリーン部分（１０）は、その両エッジに延出する案内手段（２７）によってその下流側においてのみ保持されることにより、前記流れ方向（４）において湾曲、又は屈曲可能であることを特徴とする請求項１乃至６のいずれか一項に記載の走行式スクリーン装置（１）。
【請求項８】
前記エンドレススクリーンベルト（６）は、折畳み、屈曲、屈折運動を行うことによって、その移動方向（７）を横断するように折畳み、圧縮又は屈曲可能であることを特徴とする請求項１乃至７のいずれか一項に記載の走行式スクリーン装置（１）。
【請求項９】
前記圧縮部分（１１）におけるエンドレススクリーンベルト（６）の横方向延出に対する前記アクティブスクリーン部分（１０）における前記エンドレススクリーンベルト（６）の横方向延出の比率は３：１〜１．１：１、好ましくは２．５：１〜１．５：１であることを特徴とする請求項１乃至８のいずれか一項に記載の走行式スクリーン装置（１）。
【請求項１０】
前記エンドレススクリーンベルト（６）は、織物ベルト又はチェーンリンクベルトとしての、フレキシブルな孔あきプラスチックベルトとして構成されていることを特徴とする請求項１乃至９のいずれか一項に記載の走行式スクリーン装置（１）。
【請求項１１】
移動方向（７）において前記エンドレススクリーンベルト（６）を駆動するための前記駆動装置は、エンドレススクリーンベルト（６）のいずれかの側に配置された二つの駆動ホイールを備え、前記駆動ホイールは、前記圧縮部分（１１）におけるエンドレススクリーンベルト（６）の横断方向延出に対する前記アクティブスクリーン部分（１０）におけるエンドレススクリーンベルト（６）の横断方向延出の比率によって予め決められた、互いになす角度で配置されていることを特徴とする請求項１乃至１０のいずれか一項に記載の走行式スクリーン装置（１）。
【請求項１２】
前記エンドレススクリーンベルト（６）の底部下流側部分（９）の方向転換手段の頂部は、前記エンドレススクリーンベルト（６）の底部上流側部分（８）の方向転換手段の頂部よりも低く配置されていることを特徴とする請求項１乃至１１のいずれか一項に記載の走行式スクリーン装置（１）。
【請求項１３】
前記エンドレススクリーンベルト（６）の外側（１４）に配設されたスプレーノズル（２２）又は圧縮空気ノズルと、前記スプレーノズル（２２）又は前記圧縮空気ノズルの反対側で前記エンドレススクリーンベルト（６）の内側（１２）に配設され前記エンドレススクリーンベルト（６）から吹き飛ばされた堆積物を収集する堆積物収集トラフ（２３）とをさらに備えた請求項１乃至１２のいずれか一項に記載の走行式スクリーン装置（１）。
【請求項１４】
走行式スクリーン装置（１）、特に、処理、冷却又は排出流用、又は下水処理プラントや水力発電プラント用、又は発電プラントの冷却水取り入れ構造（３）の水搬送路（２）用のスクリーン又はフィルタレーキ（filter rake）によって水路を流れる液体流（５）から固体成分、固体又は固形物を物理的に分離、抽出する方法であって、
前記液体流（５）中に浸されて、移動方向（７）に回転するとともに、前記液体流（５）内に配置されたエンドレススクリーンベルト（６）のアクティブスクリーン部分（１０）において前記水路中にスクリーン領域を形成し、前記エンドレススクリーンベルト（６）の前記アクティブスクリーン部分（１０）が前記水路における液体流（５）の流れ方向（４）に対して少なくとも近似的に、又は実質的に横断方向に配置されているエンドレススクリーンベルト（６）と、
前記エンドレススクリーンベルト（６）をその移動方向（７）に駆動するための駆動装置とを備え、
前記エンドレススクリーンベルト（６）は、その移動方向（７）を横断するように柔軟に折畳み、圧縮又は屈曲可能なエンドレススクリーンベルト（６）として使用されており、
前記エンドレススクリーンベルト（６）は、前記液体流（５）に配置された前記アクティブスクリーン部分（１０）において伸展され、
かつ、前記アクティブスクリーン部分（１０）に対して、前記液体流（５）の上流側に配置された圧縮部分（１１）においてその移動方向（７）を横断して折畳み、圧縮又は屈曲状態にされることを特徴とする方法。
【国際調査報告】
2013529266.tif 000008
2013529266.tif 000009
2013529266.tif 000010
2013529266.tif 000011